(57)【特許請求の範囲】
【請求項１】
メディアに格納されたコンテンツのタイトルの一覧を取得するための第１の要求をネットワークを介して受信する手段と、
前記受信した第１の要求に対応するコンテンツのタイトルの一覧を示す情報を取得する手段と、
前記取得されたタイトルの一覧を示す情報を前記ネットワークを介して送信する手段と、
前記タイトルの一覧のうち、指定されたタイトルに関する情報を取得するための第２の要求を受信する手段と、
前記受信した第２の要求に応答して、前記指定されたタイトルに関する情報を取得する手段と、
前記取得され、指定されたタイトルに関する情報を前記ネットワークを介して送信する手段と、
前記指定されたタイトルに関する情報の変更を行なうための第３の要求を受信する手段と、
前記第３の要求に基づいて、前記メディアに格納されたタイトルに関する情報を変更する手段と
を具備することを特徴とする録画再生装置。
【請求項２】
前記タイトルの一覧を示す情報は、前記コンテンツのサムネイル情報を含むことを特徴とする請求項１記載の録画再生装置。
【請求項３】
前記タイトルの一覧を示す情報は、ＨＴＭＬ(Hyper Text Markup Language)で記述されていることを特徴とする請求項１記載の録画再生装置。
【請求項４】
前記ネットワークは、インターネットであることを特徴とする請求項１記載の録画再生装置。
【請求項５】
前記ネットワークは、ＬＡＮ(Local Area Network)であることを特徴とする請求項１記載の録画再生装置。
【請求項６】
メディアに格納されたコンテンツのタイトルの一覧を取得するための第１の要求をネットワークを介して受信し、
前記受信した第１の要求に対応するコンテンツのタイトルの一覧を示す情報を取得し、
前記取得されたタイトルの一覧を示す情報を前記ネットワークを介して送信し、
前記タイトルの一覧のうち、指定されたタイトルに関する情報を取得するための第２の要求を受信し、
前記受信した第２の要求に応答して、前記指定されたタイトルに関する情報を取得し、
前記取得され、指定されたタイトルに関する情報を前記ネットワークを介して送信し、
前記指定されたタイトルに関する情報の変更を行なうための第３の要求を受信し、
前記第３の要求に基づいて、前記メディアに格納されたタイトルに関する情報を変更することを特徴とするタイトル情報出力方法。
【請求項７】
前記タイトルの一覧を示す情報は、前記コンテンツのサムネイル情報を含むことを特徴とする請求項６記載のタイトル情報出力方法。
【請求項８】
前記タイトルの一覧を示す情報は、ＨＴＭＬ(Hyper Text Markup Language)で記述されていることを特徴とする請求項６記載のタイトル情報出力方法。
【請求項９】
前記ネットワークは、インターネットであることを特徴とする請求項６記載のタイトル情報出力方法。
【請求項１０】
前記ネットワークは、ＬＡＮ(Local Area Network)であることを特徴とする請求項６記載のタイトル情報出力方法。
【発明の詳細な説明】
【０００１】
【発明の属する技術分野】
本発明は、録画再生装置及び同装置におけるタイトル情報出力方法に関する。
【０００２】
【従来の技術】
従来、録画再生装置を操作するには、リモコンを使用して、録画再生予約、再生、早送り、巻き戻しなどの処理を行なっている（特許文献１参照。）。しかしながら、このようなリモコンを使用した操作では、操作できる範囲はリモコンの操作範囲に限られるため、外出先において、録画再生装置において記録済みのコンテンツのタイトル及び当該タイトルに関する情報を参照したり、或いは、これら情報を変更したりすることができない。
【０００３】
【特許文献１】
特開平８−３０６０９７号公報  （図２、要約書）
【０００４】
【発明が解決しようとする課題】
上述のように、リモコンを用いた録画再生装置の操作手法では、外出先において、録画再生装置において記録済みのコンテンツのタイトル及び当該タイトルに関する情報を参照したり、或いは、これら情報を変更したりすることができないため、録画再生装置の操作性が必ずしもよくないという問題があった。
【０００５】
本発明は、上記実情に鑑みてなされたものであり、外出先においても録画再生装置において記録済みのコンテンツのタイトル及び当該タイトルに関する情報を参照することができる録画再生装置及びタイトル情報出力方法を提供することを目的とする。
【０００６】
【課題を解決するための手段】
上記目的を達成するために、本発明によれば、メディアに格納されたコンテンツのタイトルの一覧を取得するための第１の要求をネットワークを介して受信する手段と、前記受信した第１の要求に対応するコンテンツのタイトルの一覧を示す情報を取得する手段と、前記取得されたタイトルの一覧を示す情報を前記ネットワークを介して送信する手段と、前記タイトルの一覧のうち、指定されたタイトルに関する情報を取得するための第２の要求を受信する手段と、前記受信した第２の要求に応答して、前記指定されたタイトルに関する情報を取得する手段と、前記取得され、指定されたタイトルに関する情報を前記ネットワークを介して送信する手段と、前記指定されたタイトルに関する情報の変更を行なうための第３の要求を受信する手段と、前記第３の要求に基づいて、前記メディアに格納されたタイトルに関する情報を変更する手段とを具備することを特徴とする録画再生装置、である。
【０００７】
【発明の実施の形態】
以下、図面を本発明の実施の形態に係る録画再生装置について説明する。
【０００８】
図１は、本発明の実施の形態に係る録画再生装置の使用環境を説明するための図である。
【０００９】
同図に示すように、録画再生装置１は、インターネット２を介してパーソナルコンピュータ３（以下、「ＰＣ」という。）に接続されている。録画再生装置１は、タイトル情報処理プログラム４を有しており、ＰＣ３のウェブブラウザ７からのタイトル一覧取得要求を受信すると、ディスクドライブ５に装着されるＤＶＤメディア６からタイトル情報及びサムネイル情報を取得して、タイトル一覧情報（サムネイル情報を含む。）をＨＴML形式で、ネットワーク２を介して、ＰＣ３のウェブブラウザ７に送信するなどの処理を行なう。
【００１０】
なお、本実施の形態においては、録画再生装置１が接続されるネットワークにはインターネットを例にして説明をしているが、ＬＡＮ（Local Area Network)、ＷＡＮ(Wide Area Network)であってもよい。
【００１１】
図２は、本発明の実施の形態に係る録画再生装置の構成を示す図である。なお、図１と同一部分には、同一符号を付し、その説明を省略する。
【００１２】
同図に示すように、録画再生装置１は、ＡＶ入力部１１、ＴＶチューナ１２、エンコーダ部１３、ディスクドライブ部１４、デコーダ部１７、ＡＶ出力部１８、ユーザ操作入力部１９、タイマーマイコン部２０、ＭＰＵ２１、表示部２２、メモリ２３及び通信制御部２４を有している。
【００１３】
ＡＶ入力部１１は、ビデオ信号、音声信号などのＡＶ信号を入力し、エンコーダー部１３に出力する。
【００１４】
ＴＶチューナ１２は、ＴＶアンテナなどからの信号からＴＶ信号を抽出して、エンコーダ部１３に出力する。
【００１５】
エンコーダ部１３は、ＡＶ入力部１１からのＡＶ信号及びＴＶチューナ１２からのＴＶ信号をエンコードし、そのエンコードされた信号を、ディスクドライブ部１４のディスクドライブ１６に装着されるＤＶＤメディア６に記録する。なお、ここでは、ＤＶＤメディア（ＤＶＤ−ＲＡＭ、ＤＶＤ−Ｒを含む。）６を例に採り説明をするが、ＣＤメディア，ＨＤＤなどの記録デバイスなどであってもよい。なお、ディスクドライブ部１４の一時記録部１５は、ディスクドライブ１６への書き込み／読み込みを行なう際のバッファとして使用される。
【００１６】
デコーダ部１７は、ディスクドライブ１６に装着されるＤＶＤメディア６に記録されたエンコードされたＡＶ信号をデコードして、このデコードされたＡＶ信号をＡＶ出力部１８に出力する。
【００１７】
ＡＶ出力部１８は、デコードされたＡＶ信号を入力し、スピーカなどの出力デバイスに出力する。
【００１８】
ユーザ操作入力部１９は、録画再生装置の操作に関する入力を行なう部分であり、例えば、再生、早送り、巻き戻しなどの入力が該当する。
【００１９】
タイマーマイコン部２０は、録画再生装置の録画再生予約に使用される時刻を管理するタイマー機能を司るとともに、ユーザ操作部１９から入力されるユーザ操作に関する入力をＭＰＵ２１に伝達する。
【００２０】
メモリ２３は、本発明の実施の形態に係るタイトル情報処理プログラム４を格納する。
【００２１】
ＭＰＵ２１は、録画再生装置１の全体の制御を司るものであり、メモリ２３に格納されたタイトル情報処理プログラム４を実行することにより、図３及び図４に示す処理を行なう。また、ＭＰＵ２１は、通信制御部２４を介してネットワークに接続されており、録画再生装置１のコンテンツのタイトル情報処理に関するウェブサーバ機能を有する。
【００２２】
表示部２２は、録画再生装置１自体の表示部であって、録画再生に関する情報を表示する。
【００２３】
通信制御部２４は、インターネットに接続されたＰＣ３との通信の制御を行なう。
【００２４】
次に、図３及び図４のフローチャートを参照して、本発明の実施の形態に係る録画再生装置のタイトル情報処理について説明する。
【００２５】
ＰＣ３のウェブブラウザ７からタイトル一覧取得要求を受信すると（Ｓ１）、ＭＰＵ２１はＤＶＤメディア６から記録済みのタイトルの一覧情報（サムネイル情報を含む）を取得する（Ｓ２）。
【００２６】
図５は、録画再生装置をウェブサーバとして提供される画面を示す図である。同図においては、タイトル一覧ボタン３１及び編集ボタン３２が表示されている。タイトル一覧ボタン３１をユーザがクリックすると、ＰＣ３のウェブブラウザ７からタイトル一覧取得要求が録画再生装置１にネットワークを介して送信される。
【００２７】
Ｓ２において、タイトル一覧情報（サムネイル情報を含む）を取得した後、この取得したタイトル一覧情報をＨＴＭＬ形式でネットワークを介してＰＣ３のウェブブラウザに送信する（Ｓ４）。
【００２８】
図６は、録画再生装置１から送信されたタイトル一覧情報（サムネイル情報を含む）をブラウザ上に表示した画面を示す図である。同図に示すように、ブラウザ上には、サムネイル、タイトル、ジャンル、録画日時、当該タイトルのコンテンツの説明が表示される。これにより、ユーザは、遠隔地においても、録画再生装置１のＤＶＤメディア６に記録されたタイトル情報の一覧を確認することができる。
【００２９】
次に、Ｓ４において、ＰＣ１のウェブブラウザ７から指定されたタイトルに関する情報の要求を受信したか否かの判断を行なう（Ｓ４）。この要求は、ＰＣ１のウェブブラウザ７上に表示される図６に示す画面において、一覧表示されたタイトルのうちの１つのタイトルを指定することにより、ウェブブラウザ７から出力される。Ｓ４において、受信していないと判断された場合には、処理を終了する。
【００３０】
一方、Ｓ４において、受信したと判断した場合には、ＭＰＵ２１がＤＶＤメディア６から指定されたタイトルに関する情報を取得する（Ｓ５）。ここで、タイトルに関する情報とは、Ｓ２において取得された一覧情報以外の情報であって、当該タイトルに関するものをいう。例えば、音楽のコンテンツであれば、出演者情報、曲名などの付加的な情報である。
【００３１】
そして、ＰＣ１のウェブブラウザに、Ｓ５において取得されたタイトルに関する情報をＨＴＭＬ形式で送信する（Ｓ６）。その後、指定されたタイトルに関する情報の変更要求を受信したか否かの判断が行なわれる（Ｓ７）。Ｓ７において、受信していないと判断された場合には、処理を終了する。
【００３２】
ここで、指定されたタイトルに関する情報の変更要求は、図６に示した画面においてタイトルを指定した後、編集ボタン３２をユーザが選択することにより、当該タイトルに関する情報の編集が可能となる。そして、タイトルに関する情報の編集が終了すると、ブラウザから指定されたタイトルに関する情報の変更要求を出力する。なお、この指定されたタイトルに関する情報の変更要求には、変更後のタイトルに関する情報が含まれる。
【００３３】
一方、Ｓ７において、指定されたタイトルに関する情報の変更要求を受信したと判断された場合には、当該変更要求に基づいて、ＭＰＵ２１はＤＶＤメディア６に記録された指定されたタイトルに関する情報を変更する（Ｓ８）。そして、ウェブブラウザ７に変更完了通知を送信し（Ｓ９）、処理を終了する。
【００３４】
したがって、本発明の実施の形態に係る録画再生装置によれば、遠隔地においても、ネットワークを介して、ＰＣ上でタイトル一覧情報を確認、変更することができるので、利便性の向上した録画再生装置を提供することができる。
【００３５】
【発明の効果】
以上詳記したように、本発明によれば、外出先においても録画再生装置において記録済みのコンテンツのタイトル及び当該タイトルに関する情報を参照することができる。
【図面の簡単な説明】
【図１】本発明の実施の形態に係る録画再生装置の使用環境を説明するための図である。
【図２】本発明の実施の形態に係る録画再生装置の構成を示す図である。
【図３】本発明の実施の形態に係る録画再生装置のタイトル情報処理の動作を説明するためのフローチャートである。
【図４】本発明の実施の形態に係る録画再生装置のタイトル情報処理の動作を説明するためのフローチャートである。
【図５】ＰＣのブラウザの表示画面を示す図である。
【図６】ＰＣのブラウザの表示画面を示す図である。
【符号の説明】
１…録画再生装置、
２…インターネット、
３…ＰＣ、
４…タイトル情報処理プログラム、
５…ディスクドライブ、
６…ＤＶＤメディア、
７…ウェブブラウザ、
２１…ＭＰＵ、
２４…通信制御部、
３１…タイトル一覧ボタン、
３２…編集ボタン。
【図１】
0003682283.tif 000002
【図２】
0003682283.tif 000003
【図３】
0003682283.tif 000004
【図４】
0003682283.tif 000005
【図５】
0003682283.tif 000006
【図６】
0003682283.tif 000007